(57)【特許請求の範囲】
【請求項１】
デジタル放送信号からトランスポートストリームを復調する復調部と、
前記復調部により復調されたトランスポートストリームを入力し蓄積する記憶部と、
前記記憶部から出力されたトランスポートストリームより映像データ及び音声データを分離する分離化部と、
前記記憶部に所定量のトランスポートストリームが蓄積すると、前記記憶部から前記分離化部へトランスポートストリームを出力させるとともに、前記記憶部へ入力される一連のトランスポートストリームに欠落が生じた場合、前記記憶部へのトランスポートストリームの入力に同期するクロックより遅らせたクロックに同期させて前記記憶部から前記分離化部へトランスポートストリームを出力させる制御を行う制御部とを備え、
前記制御部は、デジタル放送受信機の位置を示す位置情報を入力し、前記位置情報で特定される位置でのトランスポートストリームの欠落時間及び頻度に基づいて、前記位置情報で特定される位置に対応した欠落前後のデータを変化させる実行時間の制御を行うことを特徴とするデジタル放送受信機。
【請求項２】
分離化部により分離された映像データをデコードする映像デコーダ部と、前記映像デコーダ部によりデコードされた映像信号データの輝度を変化させる処理を行う映像処理部とを備え、
制御部は、一連の映像信号データに欠落した信号があると前記映像処理部によって欠落前後の映像信号データの輝度を変化させる制御を行うことを特徴とする請求項１記載のデジタル放送受信機。
【請求項３】
分離化部により分離された音声データをデコードする音声デコーダ部と、前記音声デコーダ部によりデコードされた音声信号データの音量を変化させる処理を行う音声処理部とを備え、
制御部は、一連の音声信号データに欠落した信号があると前記音声処理部によって欠落前後の音声信号データの音量を変化させる制御を行うことを特徴とする請求項１又は請求項２記載のデジタル放送受信機。
【請求項４】
外部から欠落前後のデータを変化させる実行時間制御に要する情報を制御部に設定するための操作部を備え、
前記制御部は、前記操作部を介して外部から設定された情報に基づいて制御を行うことを特徴とする請求項２又は請求項３記載のデジタル放送受信機。
【請求項５】
デジタル放送信号からトランスポートストリームを復調する復調部と、
前記復調部により復調されたトランスポートストリームを入力し蓄積する記憶部と、
前記記憶部から出力されたトランスポートストリームより音声データを分離する分離化部と、
前記記憶部に所定量のトランスポートストリームが蓄積するまで、前記記憶部へのトランスポートストリームの入力に同期するクロックより遅らせたクロックに同期させて前記記憶部から分離化部へトランスポートストリームを出力させると共に、前記記憶部へ入力される一連のトランスポートストリームに欠落が生じた場合、前記記憶部から前記分離化部へ前記一連のトランスポートストリームを出力させる制御を行う制御部とを備え、
前記制御部は、デジタル放送受信機の位置を示す位置情報を入力し、前記位置情報で特定される位置でのトランスポートストリームの欠落時間及び頻度に基づいて、前記位置情報で特定される位置に対応した欠落前後のデータを変化させる実行時間の制御を行うことを特徴とするデジタル放送受信機。
【請求項６】
分離化部により分離された音声データをデコードする音声デコーダ部と、前記音声デコーダ部によりデコードされた音声信号データの音量を変化させる処理を行う音声処理部とを備え、
制御部は、一連の音声信号データに欠落した信号があると前記音声処理部によって欠落前後の音声信号データの音量を変化させる制御を行うことを特徴とする請求項５記載のデジタル放送受信機。
【請求項７】
外部から欠落前後のデータを変化させる実行時間制御に要する情報を制御部に設定するための操作部を備え、
前記制御部は、前記操作部を介して外部から設定された情報に基づいて、音声処理部によって欠落前後の音声信号データの音量を変化させる実行時間の制御を行うことを特徴とする請求項６記載のデジタル放送受信機。
【請求項８】
デジタル放送信号は、ＩＰ放送信号であり、
復調部は、前記ＩＰ放送信号からトランスポートストリームとしてＩＰ放送ストリームを復調することを特徴とする請求項１から請求項７のうちのいずれか１項記載のデジタル放送受信機。
【請求項９】
外部から記憶部にトランスポートストリームを蓄積する量の制御に要する情報を制御部に設定するための操作部を備え、
前記制御部は、前記操作部を介して外部から設定された情報に基づいて制御を行うことを特徴とする請求項１から請求項８のうちのいずれか１項記載のデジタル放送受信機。
【請求項１０】
制御部は、デジタル放送受信機の位置を示す位置情報を入力し、前記位置情報で特定される位置でのトランスポートストリームの欠落時間及び頻度に基づいて、前記位置情報で特定される位置に対応した、記憶部に前記トランスポートストリームを蓄積する量及びクロックの遅延量の制御を行うことを特徴とする請求項１から請求項９のうちのいずれか１項記載のデジタル放送受信機。
【発明の詳細な説明】
【技術分野】
【０００１】
この発明は、デジタル放送受信機に関するものである。
【背景技術】
【０００２】
従来のデジタル放送受信機は、例えば移動体に搭載されて建築物の陰や放送電波の受信が困難なエリアに移動すると、一時的に受信電波が途絶え、映像や音声が不規則、不連続的に途切れてしまう。このような不具合を解消する従来の技術として、特許文献１に開示されたテレビ受信機がある。このテレビ受信機では、放送波の受信が途絶えると、映像や音声が途切れる前の一定時間の映像や音声データに基づいて途切れた箇所を補間することにより、再生した映像や音声の乱れを低減している。
【０００３】
【特許文献１】特開２００２−３２０１５６号公報
【発明の開示】
【発明が解決しようとする課題】
【０００４】
しかしながら、従来のデジタル放送受信機では、映像や音声が途切れた箇所を、途切れる以前の映像や音声のデータを単にプレイバック再生することで補間しており、連続的な再生がされないという課題があった。
【０００５】
この発明は、上記のような課題を解決するためになされたもので、デジタル放送波の受信が途絶えても、映像や音声を連続的に再生することができるデジタル放送受信機を得ることを目的とする。
【課題を解決するための手段】
【０００６】
この発明に係るデジタル放送受信機は、デジタル放送信号からトランスポートストリームを復調する復調部と、復調部により復調されたトランスポートストリームを入力し蓄積する記憶部と、記憶部から出力されたトランスポートストリームより映像データ及び音声データを分離する分離化部と、記憶部に所定量のトランスポートストリームが蓄積すると、記憶部から分離化部へトランスポートストリームを出力させるとともに、記憶部へ入力される一連のトランスポートストリームに欠落が生じた場合、記憶部へのトランスポートストリームの入力に同期するクロックより遅らせたクロックに同期させて記憶部から分離化部へトランスポートストリームを出力させる制御を行う制御部とを備え、制御部は、デジタル放送受信機の位置を示す位置情報を入力し、位置情報で特定される位置でのトランスポートストリームの欠落時間及び頻度に基づいて、位置情報で特定される位置に対応した欠落前後のデータを変化させる実行時間の制御を行うことを特徴とする。
【発明の効果】
【０００７】
この発明によれば、記憶部に所定量のトランスポートストリームが蓄積すると、記憶部から分離化部へトランスポートストリームを出力させるとともに、記憶部へ入力される一連のトランスポートストリームに欠落が生じると、記憶部へのトランスポートストリームの入力に同期するクロックより遅らせたクロックに同期させて記憶部から分離化部へ一連のトランスポートストリームを出力させる。これにより、デジタル放送受信機が、移動中に建築物の陰や電波が受信困難な特定のエリアに入ってデジタル放送信号の受信が途絶え、一連のトランスポートストリームに欠落が生じても、記憶部から入力クロックより遅らせたクロックで一連のトランスポートストリームを出力させて再生処理が行われる。このため、上記のようなトランスポートストリームの欠落が生じても、連続的に映像及び音声が再生され、映像及び音声の途切れによる視聴者の不快感を低減することができるという効果がある。
【発明を実施するための最良の形態】
【０００８】
実施の形態１．
図１は、この発明の実施の形態１によるデジタル放送受信機の構成を概略的に示す図であり、車載用等、移動体に搭載されるデジタル放送受信機に適用した場合を示している。図１において、実施の形態１によるデジタル放送受信機は、受信アンテナ１、チューナ２、復調部３、記憶部４、分離化部５、映像デコーダ部６、音声デコーダ部７、制御部８、及び操作部９を備える。
【０００９】
受信アンテナ１は、デジタル放送波を受信する。チューナ２は、制御部８からの選局指令ａに従って、受信アンテナ１で受信されたデジタル放送波から所望のチャンネルを選局する。復調部３では、チューナ２から出力される変調されたデジタル放送波を復調して、トランスポートストリームｃ１を出力する。
【００１０】
トランスポートストリームはパケットに分割され送信されており、パケットに欠落がないかを示すカウンタ（０〜１５の値をとりパケットごとに１ずつ増える）及び１００［ｍｓ］以下の間隔でＰＣＲ（Program Clock Reference）がパケット内に含まれることが規定されている。ＰＣＲとは、不図示のデジタル放送送信機と実施の形態１によるデジタル放送受信機との時刻同期を行う際の基準となるクロックであり２７ＭＨｚ（２７，０００，０００＝１［ｓｅｃ］）で表される。復調部３では、パケットカウンタが連番になっていない場合、又は送信されてきたＰＣＲと直前のＰＣＲを比較し１００［ｍｓ］＝２，７００，０００以上差が有る場合にトランスポートストリームに欠落が生じたと判断し、エラー信号ｂを制御部８に出力する。
【００１１】
記憶部４では、復調部３で復調されたトランスポートストリームｃ１を蓄積する。記憶部４で蓄積されるデータは、一定データ量（あるいは一定時間量）であり、常に更新しつつ、制御部８からの入出力制御命令ｄに従って記憶部４から出力される。なお、記憶部４は、制御部８のメモリあるいはフラッシュメモリ、ＨＤＤ（Hard Disk Drive）等のデータ読み書きを自由に行える外部蓄積装置で実現される。
【００１２】
分離化部５は、記憶部４から出力されたトランスポートストリームｃ２のデータを映像データｆ、音声データｇ及びその他のデータ（再生時刻、番組付加情報等）ｅに分離する。分離されたデータのうち、映像データｆ及び音声データｇは、映像デコーダ部６及び音声デコーダ部７に出力され、その他のデータｅは制御部８に出力される。映像デコーダ部６及び音声デコーダ部７は、分離化部５から入力した映像データｆ及び音声データｇをデコードし、映像信号データｈ及び音声信号データｉを出力する。
【００１３】
制御部８は、この車載用のデジタル放送受信機の各構成要素を制御するマイクロコンピュータである。また、制御部８は、記憶部４に格納されているデータを読み出し可能に接続されており、復調部３から入力したエラー信号ｂや記憶部４に蓄積されたデータが一定データ量に達しているか否かに基づいて、記憶部４からのデータ出力を制御する。
【００１４】
例えば、制御部８は、放送電波の受信開始時には記憶部４からのデータ出力を行わず、記憶部４の蓄積データが一定データ量になるまでトランスポートストリームｃ１のデータを蓄積させる。記憶部４の蓄積データが一定データ量になると、制御部８は、記憶部４のデータ出力を制御し、ＰＣＲに同期させたクロックで記憶部４からデータを出力させる。
【００１５】
なお、実施の形態１によるデジタル放送受信機から表示装置（不図示）及びスピーカ（不図示）へ出力される映像及び音声は、記憶部４に蓄積しながら後追いで再生される、いわゆる追っかけ再生がなされたものである。
【００１６】
また、建築物の陰などで受信アンテナ１により受信されるべき電波が途絶え、復調部３からエラー信号ｂが制御部８へ出力された場合、制御部８は、ＰＣＲより僅かに遅らせたクロックで、記憶部４から蓄積データを出力させる。
【００１７】
一方、再び電波が受信可能になった場合、制御部８は、上記ＰＣＲより僅かに遅らせたクロックで記憶部４から蓄積データを出力させる。このとき、記憶部４には、ＰＣＲに同期したクロックでデータ入力がなされる。従って、記憶部４は、上記ＰＣＲより僅かに遅らせたクロックでデータを出力しつつ、この出力データと入力データとの差分が蓄積される。記憶部４の蓄積データが一定データ量に達すると、制御部８は、記憶部４からのデータ出力に用いるクロックをＰＣＲと同期させる。このように、制御部８では、記憶部４のデータ出力とクロックを制御する。
【００１８】
操作部９では、外部からの設定情報を入力して制御部８に設定する構成要素であって、例えばキースイッチやリモコンユニット、タッチパネル等の入力装置を用い、外部から選局や音量調節、記憶部４に蓄積させるデータ量、クロックの遅延量等を制御部８に設定する。制御部８は、操作部９を介して設定された情報に基づいて各構成要素の動作を制御することができる。
【００１９】
次に動作について説明する。
以降では、実施の形態１によるデジタル放送受信機を搭載した移動体の移動に伴って、デジタル放送が一時的に受信不可になった場合に対応したデータ出力制御について主に説明する。図２は、実施の形態１のデジタル放送受信機による動作の流れを示すフローチャートであり、制御部８による記憶部４のデータ出力制御を示している。先ず、復調部３で復調されたトランスポートストリームｃ１のデータは、記憶部４に蓄積される。この放送の電波の受信が開始された時点で、記憶部４は、制御部８からの入出力制御命令ｄに従って、蓄積データが一定データ量に達するまで、データ出力は行わず、トランスポートストリームｃ１のデータを蓄積する（ステップＳＴ１）。
【００２０】
記憶部４の蓄積データが一定データ量に達すると、制御部８は、ＰＣＲと同期させたクロックで、記憶部４からデータを蓄積された時間順に出力するよう制御する（ステップＳＴ２）。このとき、記憶部４から出力されるトランスポートストリームｃ２のデータは、記憶部４に入力されて蓄積されるトランスポートストリームｃ１のデータより一定データ量だけ遅れたデータとなっている。
【００２１】
制御部８では、記憶部４のデータ出力制御にあたり、復調部３からのエラー信号ｂの入力有無に基づいて、受信アンテナ１で当該放送の電波受信が不可となったか否かを判定する（ステップＳＴ３）。ここで、復調部３からエラー信号ｂを受けず、受信アンテナ１で当該放送の電波が受信されている場合、制御部８は、ステップＳＴ２の処理に戻り、上記のデータ出力制御を継続する。
【００２２】
一方、実施の形態１によるデジタル放送受信機を搭載した移動体が、建築物の陰や電波の受信が困難な特定のエリアに移動して、これまで受信していた放送の電波受信が途絶えると、受信アンテナ１からチューナ２へ出力されるデータが途切れる。これにより、チューナ２から復調部３へのデータも途切れ、トランスポートストリームに欠落が生じるため、復調部３は、制御部８にエラー信号ｂを出力する。
【００２３】
復調部３からのエラー信号ｂを入力すると、制御部８は、新たな入出力制御命令ｄを記憶部４に送信し、ＰＣＲより僅かに遅らせたクロックで記憶部４から蓄積データが出力されるように制御する（ステップＳＴ４）。このようにＰＣＲより遅らせたクロックに同期させて記憶部４からデータを出力させている間、制御部８は、記憶部４に蓄積されたデータが全て出力されたか否かを判定する（ステップＳＴ５）。ここで、記憶部４から蓄積データが全て出力された場合、制御部８は、受信アンテナ１を介して当該放送の電波が受信可能になるまで待機する（ステップＳＴ６）。
【００２４】
一方、ステップＳＴ５において記憶部４に蓄積データが残っている場合、制御部８は、受信アンテナ１を介して当該放送の電波が受信可能になったか否かを判定する（ステップＳＴ７）。ここで、未だに受信不可である場合、制御部８は、ステップＳＴ４の処理に戻り、ＰＣＲより遅らせた上記クロックで記憶部４からデータ出力されるように制御を継続する。
【００２５】
また、受信アンテナ１を介した当該放送の電波受信が再開され、ステップＳＴ７において電波が受信可能になったと判定すると、制御部８は、上述したＰＣＲより僅かに遅らせたクロックで記憶部４からデータを出力させるとともに、記憶部４にデータを入力させ、上記出力データと上記入力データとの差分のデータ量のデータを記憶部４に蓄積させる（ステップＳＴ８）。
【００２６】
この後、制御部８は、復調部３からのエラー信号ｂの有無に基づいて、当該放送の電波の受信が不可となったか否かを判定する（ステップＳＴ９）。ここで、再度受信不可になったと判定される場合、制御部８は、ステップＳＴ４の処理に戻って、上述のＰＣＲより遅らせたクロックで記憶部４からデータ出力されるように制御を継続する。
【００２７】
一方、ステップＳＴ９で当該放送の電波が受信されている場合、制御部８は、記憶部４のデータ蓄積量をモニタして一定データ量に達したか否かを判定する（ステップＳＴ１０）。なお、上述の一定データ量は、ＰＣＲに同期させた通常のデータ出力を行える記憶部４の蓄積データ量である。ここで、上記一定データ量に達していなければ、制御部８は、ステップＳＴ８の処理に戻る。また、上記一定データ量に達していれば、制御部８は、ステップＳＴ２の処理に戻って、ＰＣＲに同期させたクロックで、記憶部４からのデータ出力を制御する。
【００２８】
図３は、図１中の記憶部におけるデータ蓄積量と受信開始からの経過時間との関係を示す図であり、当該放送の電波の受信状態、データ出力クロックの状態、記憶部４から出力されるデータ及び記憶部４に入力されるデータを概略的に示している。図３において、入力されるデータ及び出力されるデータにそれぞれ付した通し番号は、記憶部４へのデータ蓄積順を示している。ここで、放送の電波受信が途絶えた箇所（時間帯）では、図３に示すように、入力されるべきデータ（１０，１１番目に入力されるべきデータ）が途切れるので、再生の際には、これら受信できなかったデータを飛ばして出力する。
【００２９】
時刻ｔ１０で当該放送の電波の受信が開始されると、制御部８は、記憶部４におけるデータ入出力を制御し、記憶部４の蓄積データが一定データ量に達するまで、復調部３から入力されるデータの蓄積のみを行わせ、データ出力は行わせない。図３の例では、番号１〜３までのデータ容量が上記一定データ量となる。時刻ｔ１１において上記一定データ量まで蓄積データが達すると、制御部８は、当該放送の電波が受信可能な間、入力データと同じクロック（ＰＣＲに同期したクロック）で蓄積された順に記憶部４からデータを出力させる。
【００３０】
時刻ｔ１２において当該放送の電波が受信不可能になると、制御部８は、記憶部４からデータを出力するクロックをＰＣＲより遅らせる。このときのデータ出力は、ＰＣＲに同期したクロックで出力した場合と同様に、記憶部４に蓄積された順に行う。例えば、図３では、番号６のデータが出力された時点で電波受信が不可となったが、後続の番号７以降のデータが、ＰＣＲより遅らせたクロックで記憶部４から出力される。このようにすることで、デジタル放送の受信が途絶えても、映像や音声を連続的に再生することができる。
【００３１】
この後、時刻ｔ１３で当該放送の電波が受信再開されても、制御部８は、記憶部４の蓄積データが一定データ量に満たなければ、ＰＣＲより遅らせたクロックでのデータ出力を継続させる。このとき、図３に示すように、記憶部４には、ＰＣＲに同期したクロックでデータが入力されて蓄積される（番号１２以降のデータ）。これにより、記憶部４には、ＰＣＲに同期したクロックで入力されるデータとＰＣＲより遅らせたクロックで出力されるデータとの差分が蓄積される。
【００３２】
時刻ｔ１３以降のデータ蓄積が進み、時刻ｔ１４で記憶部４の蓄積データが一定データ量に達すると、制御部８は、ＰＣＲに同期したクロックで記憶部４の蓄積データを出力させる。例えば、１秒間に入力されるトランスポートストリームｃ１のデータが１６．８（Ｍｂｐｓ）＝２．１（ＭＢｙｔｅ／ｓ）の地上デジタルテレビ放送を受信する場合を考える。この場合、蓄積データ量を計算すると、記憶部４で１分間データを蓄積したい場合、記憶部４の容量は、２．１（ＭＢｙｔｅ／ｓ）×６０（ｓｅｃ）＝１２６（ＭＢｙｔｅ）必要となる。
【００３３】
また、ＰＣＲは２７（ＭＨｚ）であることから、放送電波の受信が途絶えた場合や記憶部４の蓄積データが一定データ量に満たない場合に、制御部８が、クロックをΔＣＬＫ（ＭＨｚ）遅らせたとすると、記憶部４から出力されるデータは１秒間に２．１×｛（２７−ΔＣＬＫ）／２７｝（ＭＢｙｔｅ）となる。
【００３４】
このとき、放送電波の受信が再開して記憶部４に蓄積されるデータ量は、ＰＣＲに同期して入力されるデータ２．１（ＭＢｙｔｅ）との差分２．１×ΔＣＬＫ／２７（ＭＢｙｔｅ）である。ここで、ΔＣＬＫを９（ＭＨｚ）とした場合、ＰＣＲよりクロックを遅らせたときに記憶部４から１秒間に出力されるデータ量は、１．４（ＭＢｙｔｅ）となり、蓄積されるデータ量は０．７（ＭＢｙｔｅ）である。
【００３５】
以上のように、この実施の形態１によれば、デジタル放送信号からトランスポートストリームｃ１を復調する復調部３と、復調部３により復調されたトランスポートストリームｃ１を入力し蓄積する記憶部４と、記憶部４から出力されたトランスポートストリームｃ２より映像データｆ及び音声データｇを分離する分離化部５と、分離化部５で分離された映像データｆ及び音声データｇをデコードする映像デコーダ部６及び音声デコーダ部７と、記憶部４に所定量のトランスポートストリームｃ１が蓄積すると、記憶部４から分離化部５へトランスポートストリームｃ２を出力させるとともに、記憶部４へ入力されるトランスポートストリームｃ１に欠落が生じると、記憶部４へのトランスポートストリームｃ１の入力に同期するクロック（ＰＣＲ）より遅らせたクロックに同期させて記憶部４から分離化部５へトランスポートストリームｃ２を出力させる制御を行う制御部８とを備えたので、デジタル放送信号の受信が途絶え、トランスポートストリームｃ１に欠落が生じても、記憶部４からＰＣＲより遅らせたクロックでトランスポートストリームｃ２を出力させて再生処理が行われる。このため、上記のような復調エラーが生じても、連続的に映像及び音声が再生され、映像及び音声の途切れによる視聴者の不快感を低減することができる。
【００３６】
実施の形態２．
上記実施の形態１では、デジタル放送の電波受信開始時に記憶部４の蓄積データが一定データ量に達するまでデータ出力を行わない態様を説明した。この実施の形態２は、受信開始時からＰＣＲよりクロックを遅らせて再生し、入力データとの差分を記憶部に蓄積させる。このように制御することにより、電波受信開始時に一定時間待たずとも、デジタル放送を視聴することができる。
【００３７】
実施の形態２によるデジタル放送受信機は、上記実施の形態１における図１と基本的な構成は同一であるが、制御部が放送電波の受信開始時からＰＣＲより遅らせたクロックでデータを出力させる点で異なる。そこで、実施の形態２によるデジタル放送受信機の構成の説明については図１を用いることとする。
【００３８】
次に動作について説明する。
図４は、この発明の実施の形態２によるデジタル放送受信機による動作の流れを示すフローチャートであり、制御部８による記憶部４のデータ出力制御を示している。なお、図４において、上記実施の形態１の図２と同じ処理については、同一のステップ符号を付して示し、原則としてその説明は省略する。
【００３９】
先ず、受信アンテナ１を介してチューナ２で選局された放送の電波の受信が開始され、復調部３で復調されたトランスポートストリームｃ１のデータは、ＰＣＲに同期したクロックで記憶部４に入力される。一方、制御部８は、記憶部４のデータ出力を制御して、ＰＣＲより僅かに遅らせたクロックで記憶部４からトランスポートストリームｃ２のデータを出力させる。これにより、記憶部４には、ＰＣＲに同期したクロックで入力されるデータとＰＣＲより遅らせたクロックで出力されるデータとの差分が蓄積される（ステップＳＴ１−１）。
【００４０】
この後、制御部８は、復調部３からのエラー信号ｂの有無に基づいて、当該放送の電波の受信が不可となったか否かを判定する（ステップＳＴ１−２）。ここで、受信不可になったと判定された場合、制御部８は、ステップＳＴ４の処理に移行して、ＰＣＲより遅らせたクロックで記憶部４からデータ出力されるように制御を継続する。
【００４１】
一方、ステップＳＴ１−２で当該放送の電波が受信されている場合、制御部８は、記憶部４のデータ蓄積量をモニタして一定データ量に達したか否かを判定する（ステップＳＴ１−３）。ここで、上記一定データ量に達していなければ、制御部８は、ステップＳＴ１−１の処理に戻る。また、上記一定データ量に達していれば、制御部８は、ステップＳＴ２の処理に移行して、ＰＣＲに同期させたクロックで、記憶部４からのデータ出力を制御する。ステップＳＴ２以降の処理は、上記実施の形態１の図２と同様である。
【００４２】
図５は、実施の形態２による記憶部のデータ蓄積量と受信開始からの経過時間との関係を示す図であり、当該放送の電波の受信状態、データ出力クロックの状態、記憶部４から出力されるデータ及び記憶部４に入力されるデータを概略的に示している。図５において、入力されるデータ及び出力されるデータにそれぞれ付した通し番号は、図３と同様に、記憶部４へのデータ蓄積順を示している。ここで、放送の電波受信が途絶えた箇所（時間帯）では、図５に示すように、入力されるべきデータ（１２，１３番目に入力されるべきデータ）が途切れるので、再生の際には、これら受信できなかったデータを飛ばして出力する。
【００４３】
時刻ｔ２０で当該放送の電波の受信が開始されると、制御部８は、記憶部４におけるデータ入出力を制御し、記憶部４の蓄積データが一定データ量に達するまで、ＰＣＲより遅らせたクロックで記憶部４からデータ出力させる。このとき、図５に示すように、記憶部４には、ＰＣＲに同期したクロックでデータ（番号１〜９までのデータ）が入力されつつ、ＰＣＲより遅らせたクロックでデータ（番号１〜６までのデータ）が出力される。これにより、記憶部４には、ＰＣＲに同期したクロックで入力されるデータとＰＣＲより遅らせたクロックで出力されるデータとの差分が蓄積される。
【００４４】
時刻ｔ２１において記憶部４の蓄積データが一定データ量（３データ分）に達すると、制御部８は、当該放送の電波が受信可能な間、入力データと同じクロック（ＰＣＲに同期したクロック）で蓄積された順に記憶部４からデータを出力させる。この時刻ｔ２１以降は、図３で示した時刻ｔ１１以降の処理と同様である。
【００４５】
以上のように、この実施の形態２によれば、制御部８が、デジタル放送信号の受信が開始されると、記憶部４へのトランスポートストリームｃ１の入力に同期するクロックより遅らせたクロックに同期させて記憶部４から分離化部５へトランスポートストリームｃ２を出力させる制御を行うので、電波受信開始時から映像及び音声の再生を行うことができる。これにより、電波受信開始時から一定データ量蓄積されるまでの待ち時間を解消することができる。
【００４６】
実施の形態３．
上記実施の形態１及び上記実施の形態２では、当該放送の電波の受信が不可となった場合、ＰＣＲより一定クロック遅らせて記憶部４からデータ出力を行う態様を説明した。この実施の形態３は、記憶部４に蓄積されているデータ量に基づいてＰＣＲより遅らせるクロック量を制御する点が異なる。このように制御することにより、クロックの遅れによる違和感を低減することができる。
【００４７】
実施の形態３によるデジタル放送受信機は、上記実施の形態１及び上記実施の形態２における図１と基本的な構成は同一であるが、制御部が記憶部に蓄積されているデータ量に基づいてＰＣＲより遅らせるクロックを制御する点で異なる。そこで、実施の形態３によるデジタル放送受信機の構成の説明については図１を用いることとする。
【００４８】
次に動作について説明する。
図６は、この発明の実施の形態３による記憶部のデータ蓄積量と受信開始からの経過時間との関係を示す図であり、当該放送の電波の受信状態、データ出力クロックの状態、記憶部４から出力されるデータ及び記憶部４に入力されるデータを概略的に示している。図６において、入力されるデータ及び出力されるデータにそれぞれ付した通し番号は、図３及び図５と同様に、記憶部４へのデータ蓄積順を示している。ここで、放送の電波受信が途絶えた箇所（時間帯）では、図６に示すように、入力されるべきデータ（１２，１３番目に入力されるべきデータ）が途切れるので、再生の際には、これら受信できなかったデータを飛ばして出力する。
【００４９】
時刻ｔ３０で当該放送の電波の受信が開始されると、制御部８は、記憶部４におけるデータ入出力を制御し、記憶部４の蓄積データが一定データ量に達するまで、ＰＣＲより遅らせたクロックで記憶部４からデータ出力させる。このとき、図６に示すように、記憶部４には、ＰＣＲに同期したクロックでデータ（番号１〜９までのデータ）が入力されつつ、ＰＣＲより遅らせたクロックでデータ（番号１〜６までのデータ）が出力される。遅らせるクロックは記憶部４の蓄積データ量に基づいて制御部８で制御されており、蓄積量が少ない場合は大きくクロックを遅らせ（番号１〜３までのデータ）、蓄積量が多い場合は小さくクロックを遅らせる（番号４〜６までのデータ）制御が行われる。これにより、記憶部４には、ＰＣＲに同期したクロックで入力されるデータとＰＣＲより遅らせたクロックで出力されるデータとの差分が蓄積される。
【００５０】
時刻ｔ３１において記憶部４の蓄積データが一定データ量（３データ分）に達すると、制御部８は、当該放送の電波が受信可能な間、入力データと同じクロック（ＰＣＲに同期したクロック）で蓄積された順に記憶部４からデータを出力させる。
【００５１】
時刻ｔ３２において当該放送の電波が受信不可能になると、制御部８は、記憶部４からデータを出力するクロックをＰＣＲより蓄積データ量に基づいて遅らせる。このときのデータ出力は、ＰＣＲに同期したクロックで出力した場合と同様に、記憶部４に蓄積された順に行う。例えば、図６では、番号８のデータが出力された時点で電波受信が不可となったが、後続の番号９以降のデータが、ＰＣＲより蓄積データ量に基づいて遅らせたクロックで記憶部４から出力される。このようにすることで、デジタル放送の受信が途絶えても、徐々に出力クロックを遅くしていくことでクロック遅れによる映像や音声の違和感を低減できる。
【００５２】
この後、時刻ｔ３３で当該放送の電波が受信再開されても、制御部８は、記憶部４の蓄積データが一定データ量に満たなければ、ＰＣＲより蓄積データ量に基づいて遅らせたクロックでのデータ出力を継続させる。このとき、図６に示すように、記憶部４には、ＰＣＲに同期したクロックでデータが入力されて蓄積される（番号１４以降のデータ）。これにより、記憶部４には、ＰＣＲに同期したクロックで入力されるデータとＰＣＲより蓄積データ量に基づいて遅らせたクロックで出力されるデータとの差分が蓄積される。
【００５３】
時刻ｔ３４において記憶部４の蓄積データが一定データ量（３データ分）に達すると、制御部８は、当該放送の電波が受信可能な間、入力データと同じクロック（ＰＣＲに同期したクロック）で蓄積された順に記憶部４からデータを出力させる。
【００５４】
以上のように、この実施の形態３によれば、制御部８が、記憶部４へのトランスポートストリームｃ１の入力に同期するクロックより記憶部４の蓄積データ量に基づいて遅らせたクロックに同期させて記憶部４から分離化部５へトランスポートストリームｃ２を出力させる制御を行うので、クロックを遅らせたことによる映像及び音声の違和感を解消することができる。
【００５５】
なお、上記実施の形態３の構成は、上記実施の形態１の構成に適用してもよい。例えば、上記実施の形態１と同様に、制御部８が、受信開始時に記憶部４の蓄積データが一定データ量になるまでデータ出力を停止してもよい。
【００５６】
実施の形態４．
上記実施の形態１から上記実施の形態３では、放送電波の受信が途絶えて映像や音声に不連続な箇所が生じた場合、特別な処理を施すことなく、映像や音声を再生する構成を示した。これに対し、この実施の形態４では、放送電波の受信が途絶えて映像や音声に不連続な箇所が生じた場合、フェードアウトやフェードイン等の画像処理を行って再生する。
【００５７】
図７は、この発明の実施の形態４によるデジタル放送受信機の構成を概略的に示す図であり、車載用等、移動体に搭載されるデジタル放送受信機に適用した場合を示している。図７において、図１と同一の構成には同一符号を付して説明を省略する。実施の形態４によるデジタル放送受信機は、記憶部１０、映像処理部１１、音声処理部１２、及び制御部１３を備える点で、上記実施の形態１から上記実施の形態３で示したデジタル放送受信機と相違する。
【００５８】
ここで、記憶部１０は、受信アンテナ１で受信されるべき電波が途絶え、復調部３から制御部１３にエラー信号ｂが出力された際、トランスポートストリームｃ１のデータが途切れた箇所にフラグを設ける。映像処理部１１及び音声処理部１２は、制御部１３からの制御に従って、映像信号データｈ及び音声信号データｉに予め設定されたフェードアウト時間及びフェードイン時間でフェードアウト及びフェードイン処理を実行する。制御部１３は、データが不連続な箇所が再生される前後で、映像処理部１１及び音声処理部１２を制御してフェードアウト及びフェードイン処理を実行させる。
【００５９】
なお、映像のフェードアウト処理とは、入力されてくる映像信号データｈの輝度を時間が経過するごとに徐々に暗く変化させることを言い、フェードイン処理とは、入力されてくる映像信号データｈの輝度を徐々に通常の輝度に変化させることを言う。また、音声信号データｉについては、映像信号データｈのフェードアウト、フェードイン処理に対応して音声の大きさ（音量）を徐々に小さくあるいは大きくすることを言う。
【００６０】
次に動作について説明する。
以降では、放送電波の受信が途絶えて映像や音声に不連続な箇所が生じた場合の処理について主に説明する。
図８は、実施の形態４のデジタル放送受信機による動作の流れを示すフローチャートであり、受信エラーによって映像や音声に不連続な箇所が生じた場合の処理を示している。
建築物の陰等で受信アンテナ１により受信されるべき電波が途絶え、トランスポートストリームに欠落が生じると復調部３はエラー信号ｂを制御部１３へ出力する（ステップＳＴ１ａ）。
【００６１】
制御部１３は、エラー信号ｂを入力すると、記憶部１０を制御して、電波受信が途絶えたことによりトランスポートストリームｃ１のデータが途切れた箇所にフラグを設けて蓄積させる（ステップＳＴ２ａ）。この後、記憶部１０から上記フラグを含むデータが出力されて、分離化部５、映像デコーダ部６及び音声デコーダ部７による処理が完了することで、映像信号データｈが映像処理部１１へ入力され、音声信号データｉが音声処理部１２へ入力される。
【００６２】
映像処理部１１及び音声処理部１２は、制御部１３からの制御命令ｊ１，ｊ２により、入力した映像信号データｈ及び音声信号データｉから上記フラグを読み取ると、データが不連続な箇所であると判断して、この不連続な箇所よりも予め設定された所定時間前からフェードアウト処理を施した映像信号データｋ及び音声信号データｌを不図示の表示装置及びスピーカに出力する（ステップＳＴ３ａ）。
【００６３】
この後、制御部１３は、映像処理部１１及び音声処理部１２から上記フラグが設けられた箇所のデータが出力されたか否かを判定する（ステップＳＴ４ａ）。このとき、後続する映像信号データｈ及び音声信号データｉに上記フラグが存在し、上記フラグが付された箇所の処理が完了していないと判断される場合、制御部１３は、制御命令ｊ１，ｊ２で映像処理部１１及び音声処理部１２を制御して、ステップＳＴ３ａの処理を繰り返す。
【００６４】
一方、上記フラグが設けられた全ての不連続な箇所のデータ再生が完了すると、映像処理部１１及び音声処理部１２は、制御部１３からの制御に従って、不連続な箇所以降のデータに対しフェードイン処理を実行して通常時の映像信号データｋ及び音声信号データｌに戻していく（ステップＳＴ５ａ）。
【００６５】
以上のように、この実施の形態４によれば、映像デコーダ部６によりデコードされた映像信号データｈの輝度を変化させるフェードアウト、フェードイン処理を行う映像処理部１１と、音声デコーダ部７によりデコードされた音声信号データｇの音量を変化させるフェードアウト、フェードイン処理を行う音声処理部１２とを備え、制御部１３が、一連の映像信号データｈに欠落した信号があると映像処理部１１によって欠落前後の映像信号データｈの輝度を変化させるフェードアウト、フェードイン処理を行わせ、一連の音声信号データｇに欠落した信号があると音声処理部１２によって欠落前後の音声信号データｇの音量を変化させるフェードアウト、フェードイン処理を行わせる制御を行うので、データが不連続な箇所が再生される前後でフェードアウト及びフェードイン処理を行うので、不連続な箇所が再生されるときの映像や音声の急な変化を抑え、ユーザの不快感を低減することができる。
【００６６】
なお、上記実施の形態４の構成は、上記実施の形態１から上記実施の形態３のいずれの構成に適用してもよい。例えば、上記実施の形態１と同様に、制御部１３が、受信開始時に記憶部１０の蓄積データが一定データ量になるまでデータ出力を停止してもよく、上記実施の形態２と同様に、制御部１３が、受信開始時に蓄積データが一定データ量になるまで、ＰＣＲより遅らせたクロックで記憶部１０からデータを出力させてもよい。
【００６７】
実施の形態５．
上記実施の形態４では、記憶部１０に蓄積するデータ量、データ出力クロック、及び映像処理部１１及び音声処理部１２によるフェードアウト処理及びフェードイン処理の実行時間が予め設定した値となるように制御部１３が制御する構成を示した。これに対し、この実施の形態５では、過去にエラー信号ｂが出力された時間及び頻度、ナビゲーションシステム等の検出部からの位置情報に応じて、記憶部１０に蓄積するデータ量、データ出力クロック、及び映像処理部１１及び音声処理部１２によるフェードアウト処理及びフェードイン処理の実行時間を決定する。
【００６８】
図９は、この発明の実施の形態５によるデジタル放送受信機の構成を概略的に示す図であり、車載用等、移動体に搭載されるデジタル放送受信機に適用した場合を示している。図９において、図７と同一の構成には同一符号を付して説明を省略する。実施の形態５によるデジタル放送受信機は、操作部９ａ、検出部１４及びこれらにより得られた情報で記憶部１０や映像処理部１１、音声処理部１２の制御を行う制御部１３ａを備える点で、上記実施の形態４で示したデジタル放送受信機と相違する。
【００６９】
ここで、操作部９ａは、操作入力により外部から制御部１３ａに情報設定するための構成要素であり、各種設定の自動化をするか否かを制御部１３ａに設定することができる。検出部１４は、実施の形態５による車載用のデジタル放送受信機が存在する場所を示す位置情報を取得する構成要素であり、例えばナビゲーションシステムが考えられる。制御部１３ａは、検出部１４からの位置情報ｍ、復調部３からエラー信号ｂを入力した時間及び頻度に応じて、記憶部１０における蓄積データ量、データ出力クロックの遅延量、及び、映像処理部１１及び音声処理部１２によるフェードアウト処理、フェードイン処理の実行時間を制御する。
【００７０】
上記実施の形態４では、ユーザが操作部９を用いて入力操作することにより、記憶部１０で蓄積するデータ量を予め設定する態様となる。しかしながら、電波があまり途絶えない地域と、電波が途絶えやすい地域では、適切な蓄積データ量は異なってくるため、その都度、ユーザが設定するのは困難な場合がある。
【００７１】
そこで、この実施の形態５では、制御部１３ａが、復調部３からエラー信号ｂが出力された時間及び頻度、検出部１４からの位置情報ｍに応じて、記憶部１０の適切な蓄積データ量、データ出力クロック、及び、映像処理部１１及び音声処理部１２によるフェードアウト、フェードイン処理時間を自動的に設定する。
【００７２】
次に動作について説明する。
ここでは、制御部１３ａによる、記憶部１０の適切な蓄積データ量、データ出力クロック、及び、映像処理部１１及び音声処理部１２によるフェードアウト、フェードイン処理時間の設定処理について説明する。
先ず、制御部１３ａは、復調部３からエラー信号ｂを入力する度にその通知時間及び頻度を内部のメモリに記憶する。また、検出部１４は、実施の形態５によるデジタル放送受信機を搭載する車両の位置を検出し、位置情報ｍとして制御部１３ａに通知する。
【００７３】
ここで、操作部９ａの入力操作により制御部１３ａに上記各種設定の自動化を指示する設定がなされると、制御部１３ａは、復調部３からエラー信号ｂが出力された時間及び頻度、及び検出部１４からの位置情報ｍに基づいて、上記各種設定、すなわち記憶部１０の適切な蓄積データ量、データ出力クロック、及び、映像処理部１１及び音声処理部１２によるフェードアウト、フェードイン処理時間を自動的に設定する。
【００７４】
具体例を挙げて説明する。実施の形態５によるデジタル放送受信機を搭載する車両が、建築物の多い地域を走行することにより、建築物の陰等を次々に移動する場合を考える。この場合、短い時間だが電波が途絶える頻度が高くなる。そこで、制御部１３ａは、検出部１４からの位置情報ｍや、エラー信号ｂが出力された時間及び頻度から判断して、記憶部１０のデータ出力クロックを遅らせる量（クロック遅延量ΔＣＬＫ）を減少させ、フェードアウト及びフェードイン処理時間を短くする制御を行う。
【００７５】
また、上記車両がトンネルの多い地域を走行し、長時間電波が途絶えてしまう場合であれば、制御部１３ａは、記憶部１０の蓄積データ量（一定データ量）を増加させ、データ出力クロックのクロック遅延量を増加させ、フェードアウト及びフェードイン処理時間を長くする制御を行う。このときの制御は、下記式（１）〜（３）に基づいて行われる。
Ｄａｔａ＝２．１×ＴAVR±ＤAREA  ・・・（１）
ＣＬＫ＝ＰＣＲ−ＴAVR×１０6±ＣＬＫAREA  ・・・（２）
ＴFADE＝（ＴAVR／２）±ＴAREA  ・・・（３）
ここで、ＴAVRはエラー信号ｂが出力された時間及び頻度から算出した平均エラー時間（ｓｅｃ）、Ｄａｔａは記憶部１０の蓄積データ量（ＭＢｙｔｅ）、ＣＬＫはＰＣＲより遅らせたクロック（ＭＨｚ）、ＴFADEはフェードアウト及びフェードイン処理時間（ｓｅｃ）である。また、ＤAREA、ＣＬＫAREA、ＴAREAは、位置情報による蓄積データ量（ＭＢｙｔｅ）、データ出力クロック（ＭＨｚ）、フェードアウト及びフェードイン時間の補正値（ｓｅｃ）である。
【００７６】
以上のように、この実施の形態５によれば、制御部１３ａが、検出部１４からデジタル放送受信機の位置を示す位置情報を入力し、この位置情報で特定される位置での復調部３の復調エラーの時間及び頻度に基づいて、上記各種設定、すなわち記憶部１０の適切な蓄積データ量、データ出力クロック、及び、映像処理部１１及び音声処理部１２によるフェードアウト、フェードイン処理時間を自動的に設定するので、ユーザが環境に合わせて上記各種設定を行う必要がなく、より使い勝手のよいデジタル放送受信機を得ることができる。
【００７７】
なお、上記実施の形態５の構成は、上記実施の形態１及び上記実施の形態３のいずれの構成に適用してもよい。例えば、上記実施の形態１と同様に、制御部１３ａが、受信開始時に記憶部１０の蓄積データが一定データ量になるまでデータ出力を停止してもよく、上記実施の形態２と同様に、制御部１３ａが、受信開始時に蓄積データが一定データ量になるまで、ＰＣＲより遅らせたクロックで記憶部１０からデータを出力させてもよい。
【００７８】
また、図１や上記実施の形態２及び上記実施の形態３で示した構成に対して検出部１４を追加し、制御部８及び操作部９の代わりに制御部１３ａ及び操作部９ａを設けることにより、制御部１３ａが、復調部３からエラー信号ｂが出力された時間及び頻度、及び検出部１４からの位置情報ｍに基づいて、記憶部１０の適切な蓄積データ量及びデータ出力クロックを自動的に設定するように構成してもよい。
【００７９】
実施の形態６．
上記実施の形態１〜５では、デジタルテレビ放送を受信するデジタル放送受信機を示したが、この実施の形態６は、デジタル音声放送（デジタルラジオ放送）を受信するデジタル放送受信機を示す。なお、デジタルテレビ放送のデータは、映像データｆ、音声データｇ及びその他のデータ（再生時刻、番組付加情報等）ｅで構成されるが、デジタル音声放送のデータは、音声データｇ及びその他のデータｅで構成される。
【００８０】
図１０は、この発明の実施の形態６によるデジタル放送受信機の構成を概略的に示す図であり、車載用等、移動体に搭載されるデジタル放送受信機に適用した場合を示している。図１０において、図９と同一の構成には同一符号を付して説明を省略する。実施の形態５によるデジタル放送受信機は、デジタル放送の番組付加情報ｎを映像信号データｋ１に変換する映像処理部１１ａ及び分離化部５から出力されるその他のデータｅに基づいて番組付加情報ｎを映像処理部１１ａに設定する制御部１３ｂを備える点で、上記実施の形態４で示したデジタル放送受信機と相違する。
【００８１】
次に動作について説明する。
チューナ２は、制御部１３ｂからの選局指令ａに従って、受信アンテナ１で受信されたデジタル音声放送から所望のチャンネルを選局する。復調部３は、チューナ２から入力したデジタル音声放送を復調したトランスポートストリームｃ１ａを出力する。記憶部１０は、復調部３で復調されたトランスポートストリームｃ１ａを蓄積する。記憶部１０で蓄積されるデータは、一定データ量（あるいは一定時間量）であり、常に更新しつつ、制御部１３ｂからの入出力制御命令ｄに従って記憶部１０から出力される。
【００８２】
分離化部５は、記憶部１０から出力されたトランスポートストリームｃ２ａのデータを音声データｇ及びその他のデータｅに分離する。分離されたデータのうち、音声データｇは音声デコーダ部７に出力され、その他のデータｅは制御部１３ｂに出力される。音声デコーダ部７は、分離化部５から入力した音声データｇをデコードして音声信号データｉを音声処理部１２に出力する。
【００８３】
音声処理部１２では、制御部１３ｂからの制御命令ｊ２により、入力した音声信号データｉから不連続箇所を示すフラグを読み取ると、この不連続な箇所よりも予め設定された所定時間前からフェードアウト処理を施した音声信号データｌを不図示のスピーカに出力する。
【００８４】
また、制御部１３ｂは、分離化部５から入力したその他のデータｅから番組付加情報（チャンネル名、楽曲名等）ｎを取り出し、映像処理部１１ａに出力する。映像処理部１１ａでは、番組付加情報ｎに基づいて不図示の表示装置に表示させたい情報の画像データを映像信号データｋ１に変換する。映像処理部１１ａより出力された変換後の映像信号データｋ１は、Ｄ／Ａ変換されてアナログ映像信号に変換され、上記表示装置に表示される。
【００８５】
以上のように、この実施の形態６によれば、デジタル放送信号からトランスポートストリームｃ１ａを復調する復調部３と、復調部３により復調されたトランスポートストリームｃ１ａを入力し蓄積する記憶部１０と、記憶部１０から出力されたトランスポートストリームｃ２ａより音声データｇを分離する分離化部５と、分離化部５で分離された音声データｇをデコードする音声デコーダ部７と、記憶部１０に所定量のトランスポートストリームｃ１ａが蓄積すると、記憶部１０から分離化部５へトランスポートストリームｃ２ａを出力させるとともに、記憶部１０へ入力される一連のトランスポートストリームｃ１ａに欠落が生じると、記憶部１０へのトランスポートストリームｃ１ａの入力に同期するクロック（ＰＣＲ）より遅らせたクロックに同期させて記憶部１０から分離化部５へ一連のトランスポートストリームｃ２ａを出力させる制御を行う制御部１３ｂとを備えたので、デジタル放送信号の受信が途絶え、トランスポートストリームｃ１ａに欠落が生じる復調エラーが生じても、記憶部１０からＰＣＲより遅らせたクロックでトランスポートストリームｃ２ａを出力させて再生処理が行われる。このため、上記のような復調エラーが生じても、連続的に音声が再生され、音声の途切れによる試聴者の不快感を低減することができる。
【００８６】
また、この実施の形態６によれば、分離化部５が、記憶部１０から出力されたトランスポートストリームｃ２ａより音声データｇ及びその他のデータ（番組付加情報データ）ｅを分離し、分離化部５で分離されたその他のデータ（番組付加情報データ）ｅに基づいて番組付加情報の映像信号データｋ１を生成する映像処理部１１ａを備えたので、デジタル音声放送の番組付加情報を表示装置に表示することができ、現在の放送内容を視覚的にも捉えることができる。
【００８７】
なお、上記実施の形態６の構成は、上記実施の形態１から上記実施の形態３のいずれの構成に適用してもよい。例えば、上記実施の形態１と同様に、制御部１３ｂが、受信開始時に記憶部１０の蓄積データが一定データ量になるまでデータ出力を停止してもよく、上記実施の形態２と同様に、制御部１３ｂが、受信開始時に蓄積データが一定データ量になるまで、ＰＣＲより遅らせたクロックで記憶部１０からデータを出力させてもよい。
【００８８】
また、上記実施の形態１〜６では、車載用デジタル放送受信機を例として説明したが、本発明はこれに限定されるものではない。例えば、移動体であれば車載用に限らず、携帯電話やＰＤＡであってもよい。
【００８９】
さらに、上記実施の形態１〜６は、インターネット等を介したストリーミングメディア（映像及び音声の少なくとも一方）をＩＰ（インターネットプロトコル）放送ストリームとして受信し再生するデジタル放送受信機に適用してもよい。この場合、インターネットのストリーミングにおいて、ストリーミング中にダウンロード速度が低下した場合やパケット伝送エラーが多い場合に、記憶部からのデータ出力クロックを遅くして記憶部のデータ出力を制御することにより、ストリーミングデータが連続的に再生される。例えば、復調部３が、ストリーミング中のダウンロード速度低下やパケット伝送エラーに応じて、エラー信号ｂを制御部に出力するように構成することで、インターネットのストリーミングにおいても上記実施の形態１〜６で示した構成をそのまま適用することができる。
【図面の簡単な説明】
【００９０】
【図１】この発明の実施の形態１によるデジタル放送受信機の構成を概略的に示す図である。
【図２】実施の形態１のデジタル放送受信機による動作の流れを示すフローチャートである。
【図３】図１中の記憶部におけるデータ蓄積量と受信開始からの経過時間との関係を示す図である。
【図４】この発明の実施の形態２のデジタル放送受信機による動作の流れを示すフローチャートである。
【図５】実施の形態２による記憶部のデータ蓄積量と受信開始からの経過時間との関係を示す図である。
【図６】この発明の実施の形態３による記憶部のデータ蓄積量と受信開始からの経過時間との関係を示す図である。
【図７】この発明の実施の形態４によるデジタル放送受信機の構成を概略的に示す図である。
【図８】実施の形態４のデジタル放送受信機による動作の流れを示すフローチャートである。
【図９】この発明の実施の形態５によるデジタル放送受信機の構成を概略的に示す図である。
【図１０】この発明の実施の形態６によるデジタル放送受信機の構成を概略的に示す図である。
【符号の説明】
【００９１】
１  受信アンテナ、２  チューナ、３  復調部、４，１０  記憶部、５  分離化部、６  映像デコーダ部、７  音声デコーダ部、８，１３，１３ａ，１３ｂ  制御部、９，９ａ  操作部、１１，１１ａ  映像処理部、１２  音声処理部、１４  検出部。
【図１】
0005172303.tif 000002
【図２】
0005172303.tif 000003
【図３】
0005172303.tif 000004
【図４】
0005172303.tif 000005
【図５】
0005172303.tif 000006
【図６】
0005172303.tif 000007
【図７】
0005172303.tif 000008
【図８】
0005172303.tif 000009
【図９】
0005172303.tif 000010
【図１０】
0005172303.tif 000011